(57)【要約】  本開示の一態様に係るユーザ端末は、空間ドメインフィルタを適用して測定した参照信号の測定結果を送信する送信部と、低遅延ビーム選択を上位レイヤシグナリングによって設定され、かつ、前記測定結果に関する確認情報を時刻Ｔにおいて受信する場合に、当該時刻Ｔから第２の時間経過した時刻以降の所定のチャネルの空間ドメインフィルタが、当該時刻Ｔから第１の時間遡った時刻以前に送信した最新の前記測定結果に対応する空間ドメインフィルタと同じであると想定する制御部と、を有することを特徴とする。本開示の一態様によれば、チャネルのＴＣＩ状態、ＱＣＬ想定又はビームを高速に切り替えることができる。
2020065883.tif 000002
【特許請求の範囲】
【請求項１】
空間ドメインフィルタを適用して測定した参照信号の測定結果を送信する送信部と、
低遅延ビーム選択を上位レイヤシグナリングによって設定され、かつ、前記測定結果に関する確認情報を時刻Ｔにおいて受信する場合に、当該時刻Ｔから第２の時間経過した時刻以降の所定のチャネルの空間ドメインフィルタが、当該時刻Ｔから第１の時間遡った時刻以前に送信した最新の前記測定結果に対応する空間ドメインフィルタと同じであると想定する制御部と、を有することを特徴とするユーザ端末。
【請求項２】
前記制御部は、前記時刻Ｔから前記第２の時間経過した時刻以前の前記所定のチャネルの空間ドメインフィルタが、前記時刻Ｔから前記第１の時間遡った時刻以前に送信した最新の前記測定結果を送信する前に想定していた空間ドメインフィルタと同じであると想定することを特徴とする請求項１に記載のユーザ端末。
【請求項３】
前記制御部は、前記測定結果を送信してから第３の時間が経過した場合には、前記確認情報を受信していなくても、前記所定のチャネルの空間ドメインフィルタが、前記測定結果に対応する空間ドメインフィルタと同じであると想定することを特徴とする請求項１又は請求項２に記載のユーザ端末。
【請求項４】
前記制御部は、前記測定結果を送信してから第４の時間が経過し、かつ前記第４の時間の経過までに前記確認情報を受信していない場合には、前記所定のチャネルの空間ドメインフィルタが、前記測定結果を送信する前の前記所定のチャネルの空間ドメインフィルタと同じであると想定することを特徴とすることを特徴とする請求項３に記載のユーザ端末。
【請求項５】
空間ドメインフィルタを適用して測定した参照信号の測定結果を送信するステップと、
低遅延ビーム選択を上位レイヤシグナリングによって設定され、かつ、前記測定結果に関する確認情報を時刻Ｔにおいて受信する場合に、当該時刻Ｔから第２の時間経過した時刻以降の所定のチャネルの空間ドメインフィルタが、当該時刻Ｔから第１の時間遡った時刻以前に送信した最新の前記測定結果に対応する空間ドメインフィルタと同じであると想定するステップと、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、５Ｇ（5th  generation  mobile  communication  system）、５Ｇ＋（plus）、ＮＲ（New  Radio）、３ＧＰＰ  Ｒｅｌ．１５以降などともいう）も検討されている。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】
将来の無線通信システム（以下、単にＮＲとも表記する）では、送信設定指示（ＴＣＩ：Transmission  Configuration  Indicator）状態に基づいてチャネル又は信号の疑似コロケーション（ＱＣＬ：Quasi-Co-Location）関係を判断して、送受信処理を制御することが検討されている。【０００６】
しかしながら、Ｒｅｌ−１５  ＮＲに関してこれまで検討されたＴＣＩ状態の制御方法は、ＴＣＩ状態の変更に比較的長時間を要したり、通信オーバヘッドを要したりする。したがって、頻繁にＴＣＩ状態の変更が必要なケースなどにおいては、通信スループットが低下するおそれがある。【０００７】
そこで、本開示は、チャネルのＴＣＩ状態、ＱＣＬ想定又はビームを高速に切り替えることができるユーザ端末及び無線通信方法を提供することを目的の１つとする。
【課題を解決するための手段】
【０００８】
本開示の一態様に係るユーザ端末は、空間ドメインフィルタを適用して測定した参照信号の測定結果を送信する送信部と、低遅延ビーム選択を上位レイヤシグナリングによって設定され、かつ、前記測定結果に関する確認情報を時刻Ｔにおいて受信する場合に、当該時刻Ｔから第２の時間経過した時刻以降の所定のチャネルの空間ドメインフィルタが、当該時刻Ｔから第１の時間遡った時刻以前に送信した最新の前記測定結果に対応する空間ドメインフィルタと同じであると想定する制御部と、を有することを特徴とする。
【発明の効果】
【０００９】
本開示の一態様によれば、チャネルのＴＣＩ状態、ＱＣＬ想定又はビームを高速に切り替えることができる。
【図面の簡単な説明】
【００１０】
【図１】図１は、Ｒｅｌ−１５  ＮＲにおけるＰＤＣＣＨ用ビーム管理の一例を示す図である。
【図２】図２は、低遅延ビーム選択の一例を示す図である。
【図３】図３は、低遅延ビーム選択が設定される場合のＰＤＣＣＨ用ビーム管理の一例を示す図である。
【図４】図４は、ＣＳＩ測定結果の報告用のＰＵＣＣＨ又はＰＵＳＣＨリソースの一例を示す図である。
【図５】図５は、低遅延ビーム選択が設定される場合のＰＤＳＣＨ用ビーム管理の一例を示す図である。
【図６】図６は、低遅延ビーム選択が設定される場合のＰＵＣＣＨ用ビーム管理の一例を示す図である。
【図７】図７は、低遅延ビーム選択が設定される場合のＰＵＣＣＨ用ビーム管理の別の一例を示す図である。
【図８】図８は、Ｔｏｆｆｓｅｔに基づくＰＤＣＣＨの基地局送信ビームの想定の一例を示す図である。
【図９】図９は、Ｔｏｆｆｓｅｔに基づくＰＤＣＣＨの基地局送信ビームの想定の別の一例を示す図である。
【図１０】図１０は、Ｔｏｆｆｓｅｔに基づくＰＤＣＣＨの基地局送信ビームの想定のさらに別の一例を示す図である。
【図１１】図１１は、確認情報に基づくＱＣＬ想定の変更の一例を示す図である。
【図１２】図１２は、一実施形態に係る無線通信システムの概略構成の一例を示す図である。
【図１３】図１３は、一実施形態に係る基地局の構成の一例を示す図である。
【図１４】図１４は、一実施形態に係るユーザ端末の構成の一例を示す図である。
【図１５】図１５は、一実施形態に係る基地局及びユーザ端末のハードウェア構成の一例を示す図である。
【発明を実施するための形態】
【００１１】
（ＣＯＲＥＳＥＴ）
ＮＲにおいては、物理レイヤ制御信号（例えば、下り制御情報（ＤＣＩ：Downlink  Control  Information））を、基地局からユーザ端末（ＵＥ：User  Equipment）に対して送信するために、制御リソースセット（ＣＯＲＥＳＥＴ：COntrol  REsource  SET）が利用される。
【００１２】
ＣＯＲＥＳＥＴは、制御チャネル（例えば、ＰＤＣＣＨ（Physical  Downlink  Control  Channel））の割当て候補領域である。ＣＯＲＥＳＥＴは、所定の周波数領域リソースと時間領域リソース（例えば１又は２ＯＦＤＭシンボルなど）を含んで構成されてもよい。
【００１３】
ＵＥは、ＣＯＲＥＳＥＴの設定情報（ＣＯＲＥＳＥＴ設定（CORESET  configuration）、coreset-Configと呼ばれてもよい）を、基地局から受信してもよい。ＵＥは、自端末に設定されたＣＯＲＥＳＥＴをモニタすれば、物理レイヤ制御信号を検出できる。
【００１４】
ＣＯＲＥＳＥＴ設定は、例えば、上位レイヤシグナリングによって通知されてもよく、所定のＲＲＣ情報要素（「ControlResourceSet」と呼ばれてもよい）で表されてもよい。
【００１５】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００１６】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００１７】
ＣＯＲＥＳＥＴは、サービングセルにおいてＵＥに設定される帯域幅部分（ＢＷＰ：Bandwidth  Part）ごとに、所定数（例えば、３個以下）設定されてもよい。
【００１８】
ＰＤＣＣＨ候補（PDCCH  candidates）のサーチ領域及びサーチ方法は、サーチスペース（ＳＳ：Search  Space）として定義される。ＵＥは、サーチスペースの設定情報（サーチスペース設定（search  space  configuration）と呼ばれてもよい）を、基地局から受信してもよい。サーチスペース設定は、例えば、上位レイヤシグナリング（ＲＲＣシグナリングなど）によって通知されてもよい。
【００１９】
ＵＥは、サーチスペース設定に基づいて、ＣＯＲＥＳＥＴをモニタする。ＵＥは、上記サーチスペース設定に含まれるＣＯＲＥＳＥＴ−ＩＤに基づいて、ＣＯＲＥＳＥＴとサーチスペースとの対応関係を判断できる。１つのＣＯＲＥＳＥＴは、１つ又は複数のサーチスペースに関連付けられてもよい。
【００２０】
（ＱＣＬ／ＴＣＩ）
ＮＲでは、送信設定指示状態（ＴＣＩ状態（Transmission  Configuration  Indication  state））に基づいて、信号及びチャネルの少なくとも一方（信号／チャネルと表現する）の受信処理（例えば、受信、デマッピング、復調、復号の少なくとも１つ）を制御することが検討されている。
【００２１】
ここで、ＴＣＩ状態とは、チャネル又は信号の疑似コロケーション（ＱＣＬ：Quasi-Co-Location）に関する情報であり、空間受信パラメータ、空間関係情報（spatial  relation  info）などとも呼ばれてもよい。ＴＣＩ状態は、チャネルごと又は信号ごとにＵＥに設定されてもよい。ＵＥは、チャネルのＴＣＩ状態に基づいて、当該チャネルの送信ビーム（Ｔｘビーム）及び受信ビーム（Ｒｘビーム）の少なくとも１つを決定してもよい。
【００２２】
ＱＣＬとは、信号／チャネルの統計的性質を示す指標である。例えば、ある信号／チャネルと他の信号／チャネルがＱＣＬの関係である場合、これらの異なる複数の信号／チャネル間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００２３】
なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、ｓＱＣＬ（spatial  QCL）で読み替えられてもよい。
【００２４】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド、
・ＱＣＬタイプＢ：ドップラーシフト及びドップラースプレッド、
・ＱＣＬタイプＣ：ドップラーシフト及び平均遅延、
・ＱＣＬタイプＤ：空間受信パラメータ。
【００２５】
ＴＣＩ状態は、例えば、対象となるチャネル（又は当該チャネル用の参照信号（ＲＳ：Reference  Signal））と、別の信号（例えば、別の下り参照信号（ＤＬ−ＲＳ：Downlink  Reference  Signal））とのＱＣＬに関する情報であってもよい。ＴＣＩ状態は、上位レイヤシグナリング、物理レイヤシグナリング又はこれらの組み合わせによって設定（指示）されてもよい。
【００２６】
本開示において、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２７】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２８】
物理レイヤシグナリングは、例えば、下り制御情報（ＤＣＩ：Downlink  Control  Information）であってもよい。
【００２９】
ＴＣＩ状態が設定（指定）されるチャネルは、例えば、下り共有チャネル（ＰＤＳＣＨ：Physical  Downlink  Shared  Channel）、下り制御チャネル（ＰＤＣＣＨ：Physical  Downlink  Control  Channel）、上り共有チャネル（ＰＵＳＣＨ：Physical  Uplink  Shared  Channel）、上り制御チャネル（ＰＵＣＣＨ：Physical  Uplink  Control  Channel）の少なくとも１つであってもよい。
【００３０】
また、当該チャネルとＱＣＬ関係となるＲＳは、例えば、同期信号ブロック（ＳＳＢ：Synchronization  Signal  Block）、チャネル状態情報参照信号（ＣＳＩ−ＲＳ：Channel  State  Information  Reference  Signal）、測定用参照信号（ＳＲＳ：Sounding  Reference  Signal）の少なくとも１つであってもよい。
【００３１】
ＳＳＢは、プライマリ同期信号（ＰＳＳ：Primary  Synchronization  Signal）、セカンダリ同期信号（ＳＳＳ：Secondary  Synchronization  Signal）及びブロードキャストチャネル（ＰＢＣＨ：Physical  Broadcast  Channel）の少なくとも１つを含む信号ブロックである。ＳＳＢは、ＳＳ／ＰＢＣＨブロックと呼ばれてもよい。
【００３２】
上位レイヤシグナリングによって設定されるＴＣＩ状態の情報要素（ＲＲＣの「TCI-state  IE」）は、１つ又は複数のＱＣＬ情報（「QCL-Info」）を含んでもよい。ＱＣＬ情報は、ＱＣＬ関係となるＤＬ−ＲＳに関する情報（ＤＬ−ＲＳ関連情報）及びＱＣＬタイプを示す情報（ＱＣＬタイプ情報）の少なくとも１つを含んでもよい。ＤＬ−ＲＳ関連情報は、ＤＬ−ＲＳのインデックス（例えば、ＳＳＢインデックス、ノンゼロパワーＣＳＩ−ＲＳリソースＩＤ）、ＲＳが位置するセルのインデックス、ＲＳが位置するＢＷＰ（Bandwidth  Part）のインデックスなどの情報を含んでもよい。
【００３３】
ＰＤＣＣＨ（又はＰＤＣＣＨに関連するＤＭＲＳアンテナポート）及び所定のＤＬ−ＲＳとのＱＣＬに関する情報は、ＰＤＣＣＨ用ＴＣＩ状態などと呼ばれてもよい。
【００３４】
ＵＥは、ＵＥ固有のＰＤＣＣＨ（ＣＯＲＥＳＥＴ）のためのＴＣＩ状態を、ＲＲＣシグナリング及びＭＡＣ  ＣＥに基づいて判断してもよい。
【００３５】
例えば、ＵＥに対して、ＣＯＲＥＳＥＴごとに、１つ又は複数（Ｋ個）のＴＣＩ状態が上位レイヤシグナリング（ControlResourceSet情報要素）によって設定されてもよい。また、ＵＥは、各ＣＯＲＥＳＥＴについて、それぞれ１つ又は複数のＴＣＩ状態を、ＭＡＣ  ＣＥを用いてアクティベートしてもよい。当該ＭＡＣ  ＣＥは、ＵＥ固有ＰＤＣＣＨ用ＴＣＩ状態指示ＭＡＣ  ＣＥ（TCI  State  Indication  for  UE-specific  PDCCH  MAC  CE）と呼ばれてもよい。ＵＥは、ＣＯＲＥＳＥＴのモニタを、当該ＣＯＲＥＳＥＴに対応するアクティブなＴＣＩ状態に基づいて実施してもよい。
【００３６】
ＴＣＩ状態は、ビームに対応してもよい。例えば、ＵＥは、異なるＴＣＩ状態のＰＤＣＣＨは、異なるビームを用いて送信されると想定してもよい。
【００３７】
ＰＤＳＣＨ（又はＰＤＳＣＨに関連するＤＭＲＳアンテナポート）及び所定のＤＬ−ＲＳとのＱＣＬに関する情報は、ＰＤＳＣＨのためのＴＣＩ状態などと呼ばれてもよい。
【００３８】
ＵＥは、ＰＤＳＣＨ用のＭ（Ｍ≧１）個のＴＣＩ状態（Ｍ個のＰＤＳＣＨ用のＱＣＬ情報）を、上位レイヤシグナリングによって通知（設定）されてもよい。なお、ＵＥに設定されるＴＣＩ状態の数Ｍは、ＵＥ能力（UE  capability）及びＱＣＬタイプの少なくとも１つによって制限されてもよい。
【００３９】
ＰＤＳＣＨのスケジューリングに用いられるＤＣＩは、ＴＣＩ状態（ＰＤＳＣＨ用のＱＣＬ情報）を示す所定のフィールド（例えば、ＴＣＩ用のフィールド、ＴＣＩフィールド、ＴＣＩ状態フィールドなどと呼ばれてもよい）を含んでもよい。当該ＤＣＩは、１つのセルのＰＤＳＣＨのスケジューリングに用いられてもよく、例えば、ＤＬ  ＤＣＩ、ＤＬアサインメント、ＤＣＩフォーマット１＿０、ＤＣＩフォーマット１＿１などと呼ばれてもよい。
【００４０】
また、ＤＣＩがｘビット（例えば、ｘ＝３）のＴＣＩフィールドを含む場合、基地局は、最大２ｘ（例えば、ｘ＝３の場合、８）種類のＴＣＩ状態を、上位レイヤシグナリングを用いてＵＥに予め設定してもよい。ＤＣＩ内のＴＣＩフィールドの値（ＴＣＩフィールド値）は、上位レイヤシグナリングにより予め設定されたＴＣＩ状態の１つを示してもよい。
【００４１】
８種類を超えるＴＣＩ状態がＵＥに設定される場合、ＭＡＣ  ＣＥを用いて、８種類以下のＴＣＩ状態がアクティベート（又は指定）されてもよい。当該ＭＡＣ  ＣＥは、ＵＥ固有ＰＤＳＣＨ用ＴＣＩ状態アクティベーション／ディアクティベーションＭＡＣ  ＣＥ（TCI  States  Activation/Deactivation  for  UE-specific  PDSCH  MAC  CE）と呼ばれてもよい。ＤＣＩ内のＴＣＩフィールドの値は、ＭＡＣ  ＣＥによりアクティベートされたＴＣＩ状態の一つを示してもよい。
【００４２】
ＵＥは、ＤＣＩ内のＴＣＩフィールド値が示すＴＣＩ状態に基づいて、ＰＤＳＣＨ（又はＰＤＳＣＨのＤＭＲＳポート）のＱＣＬを決定してもよい。例えば、ＵＥは、サービングセルのＰＤＳＣＨのＤＭＲＳポート（又は、ＤＭＲＳポートグループ）が、ＤＣＩで通知されたＴＣＩ状態に対応するＤＬ−ＲＳとＱＣＬであると想定して、ＰＤＳＣＨの受信処理（例えば、復号、復調など）を制御してもよい。
【００４３】
（ビーム管理）
ところで、これまでＲｅｌ−１５  ＮＲにおいては、ビーム管理（ＢＭ：Beam  Management）の方法が検討されてきた。当該ビーム管理においては、ＵＥが報告したＬ１−ＲＳＲＰをベースに、ビーム選択を行うことが検討されている。ある信号／チャネルのビームを変更する（切り替える）ことは、当該信号／チャネルのＴＣＬ状態（ＱＣＬ）を変更することに相当する。
【００４４】
なお、ビーム選択によって選択されるビームは、送信ビーム（Ｔｘビーム）であってもよいし、受信ビーム（Ｒｘビーム）であってもよい。また、ビーム選択によって選択されるビームは、ＵＥのビームであってもよいし、基地局のビームであってもよい。
【００４５】
ＵＥは、Ｌ１−ＲＳＲＰを、ＣＳＩに含めて上り制御チャネル（ＰＵＣＣＨ：Physical  Uplink  Control  Channel）又は上り共有チャネル（ＰＵＳＣＨ：Physical  Uplink  Shared  Channel）を用いて報告してもよい。
【００４６】
なお、ＣＳＩは、チャネル品質識別子（ＣＱＩ：Channel  Quality  Indicator）、プリコーディング行列識別子（ＰＭＩ：Precoding  Matrix  Indicator）、ＣＳＩ−ＲＳリソース識別子（ＣＲＩ：CSI-RS  Resource  Indicator）、ＳＳ／ＰＢＣＨブロックリソース識別子（ＳＳＢＲＩ：SS/PBCH  Block  Indicator）、レイヤ識別子（ＬＩ：Layer  Indicator）、ランク識別子（ＲＩ：Rank  Indicator）、Ｌ１−ＲＳＲＰなどの少なくとも１つを含んでもよい。
【００４７】
ビーム管理のために報告される測定結果（例えば、ＣＳＩ）は、ビーム測定（beam  measurement）、ビーム測定結果、ビーム測定レポート（beam  measurement  report）、ビームレポートなどと呼ばれてもよい。
【００４８】
ＵＥは、ＣＳＩ測定用のリソースを用いてチャネル状態を測定し、Ｌ１−ＲＳＲＰを導出してもよい。ＣＳＩ測定用のリソースは、例えば、ＳＳ／ＰＢＣＨブロックのリソース、ＣＳＩ−ＲＳのリソース、その他の参照信号リソースなどの少なくとも１つであってもよい。ＣＳＩ測定報告の設定情報は、上位レイヤシグナリングを用いてＵＥに設定されてもよい。
【００４９】
当該ＣＳＩ測定報告の設定情報（CSI-MeasConfig又はCSI-ResourceConfig）は、ＣＳＩ測定のための１つ以上のノンゼロパワー（ＮＺＰ：Non  Zero  Power）ＣＳＩ−ＲＳリソースセット（NZP-CSI-RS-ResourceSet）、１つ以上のゼロパワー（ＺＰ）ＣＳＩ−ＲＳリソースセット（ZP-CSI-RS-ResourceSet）（又はＣＳＩ−ＩＭ（Interference  Management）リソースセット（CSI-IM-ResourceSet））及び１つ以上のＳＳ／ＰＢＣＨブロックリソースセット（CSI-SSB-ResourceSet）などの情報を含んでもよい。
【００５０】
各リソースセットの情報は、当該リソースセット内のリソースにおける繰り返し（repetition）に関する情報を含んでもよい。当該繰り返しに関する情報は、例えば‘オン’又は‘オフ’を示してもよい。なお、‘オン’は‘有効（enabled又はvalid）’と表されてもよいし、‘オフ’は‘無効（disabled又はinvalid）’と表されてもよい。
【００５１】
例えば、繰り返しが‘オン’を設定されたリソースセットについて、ＵＥは、当該リソースセット内のリソースが同じ下りリンク空間ドメイン送信フィルタ（same  downlink  spatial  domain  transmission  filter）を用いて送信されたと想定してもよい。この場合、ＵＥは、当該リソースセット内のリソースが同じビームを用いて（例えば、同じ基地局から同じビームを用いて）送信されたと想定してもよい。
【００５２】
繰り返しが‘オフ’を設定されたリソースセットについて、ＵＥは、当該リソースセット内のリソースが同じ下りリンク空間ドメイン送信フィルタを用いて送信されたとは想定してはいけない（又は、想定しなくてもよい）、という制御を行ってもよい。この場合、ＵＥは、当該リソースセット内のリソースが同じビームを用いては送信されない（異なるビームを用いて送信された）と想定してもよい。つまり、繰り返しが‘オフ’を設定されたリソースセットについて、ＵＥは、基地局がビームスイーピングを行っていると想定してもよい。
【００５３】
図１は、Ｒｅｌ−１５  ＮＲにおけるＰＤＣＣＨ用ビーム管理の一例を示す図である。ＮＷ（ネットワーク、例えば基地局）は、あるＵＥのＰＤＣＣＨ用ＴＣＩ状態の切り替えを行うことを決定する（ステップＳ１０１）。ＮＷは、当該ＵＥに対して古い（切り替え前の）ＴＣＩ状態に従うＰＤＣＣＨを用いて、ＰＤＳＣＨのスケジューリングのためのＤＣＩを送信する（ステップＳ１０２）。
【００５４】
また、基地局は、当該ＰＤＳＣＨに、ＵＥ固有ＰＤＣＣＨ用ＴＣＩ状態指示ＭＡＣ  ＣＥを含めて送信する（ステップＳ１０３）。
【００５５】
ＵＥは、上記ＤＣＩを検出すると、上記ＰＤＳＣＨを復号し、上記ＭＡＣ  ＣＥを取得する。ＵＥは、上記ＭＡＣ  ＣＥを受信すると、当該ＭＡＣ  ＣＥを提供したＰＤＳＣＨのためのＨＡＲＱ−ＡＣＫ（Hybrid  Automatic  Repeat  reQuest  Acknowledgement）を送信する（ステップＳ１０４）。ＵＥは、当該ＨＡＲＱ−ＡＣＫを送信するスロットから３ミリ秒後に、上記ＭＡＣ  ＣＥに基づくＴＣＩ状態のアクティベーションコマンドを適用する（ステップＳ１０５）。
【００５６】
その後、基地局は、新しい（切り替え後の）ＴＣＩ状態に従うＰＤＣＣＨを送信し、ＵＥは、当該ＰＤＣＣＨを受信して復号できる（ステップＳ１０６）。
【００５７】
以上説明したように、Ｒｅｌ−１５  ＮＲに関してこれまで検討されたＰＤＣＣＨ用のＴＣＩ状態の制御方法は、ＴＣＩ状態の変更に比較的長時間を要する。また、他のチャネル（ＰＤＳＣＨ、ＰＵＣＣＨなど）についても、ＴＣＩ状態の変更には比較的長時間を要したり、通信オーバヘッドを要したりする。したがって、頻繁にＴＣＩ状態の変更が必要なケースなどにおいては、当該変更にかかる遅延が問題になり、通信スループットが低下するおそれがある。
【００５８】
そこで、本発明者らは、チャネルのＴＣＩ状態、ＱＣＬ想定又はビームを高速に切り替える方法を着想した。
【００５９】
以下、本開示に係る実施形態について、図面を参照して詳細に説明する。各実施形態に係る無線通信方法は、それぞれ単独で適用されてもよいし、組み合わせて適用されてもよい。
【００６０】
（無線通信方法）
＜低遅延ビーム選択の設定＞
一実施形態において、ＵＥは、低遅延ビーム選択を上位レイヤシグナリングによって設定される場合には、ＰＤＣＣＨ用のＴＣＩ状態を設定されないと想定してもよい。
【００６１】
図２は、低遅延ビーム選択の一例を示す図である。ＮＷは、あるＵＥのＰＤＣＣＨ用ＴＣＩ状態の切り替えを行うことを決定する（ステップＳ２０１）。ＮＷは、ステップＳ２０１の後、図１のような古いＴＣＩ状態に従うＰＤＣＣＨ（ＤＣＩ）送信、ＰＤＳＣＨ（ＭＡＣ  ＣＥ）送信などを行うことなく、当該ＵＥに対して新しい（切り替え後の）ＴＣＩ状態に従うＰＤＣＣＨを送信する（ステップＳ２０２）。
【００６２】
なお、低遅延ビーム選択（low  latency  beam  selection）は、高速ビーム選択（fast  beam  selection）、ＴＣＩ状態なしのビーム選択（beam  selection  w/o  TCI  state）、ビーム選択タイプII（beam  selection  type  II）、ＴＣＩ状態指定タイプ２などと呼ばれてもよい。
【００６３】
一方、図１で述べたようなＲＲＣ＋ＭＡＣ  ＣＥを用いたＴＣＩ状態の指示方法は、高遅延ビーム選択（high  latency  beam  selection）は、低速ビーム選択（slow  beam  selection）、ＴＣＩ状態ありのビーム選択（beam  selection  w  TCI  state）、ビーム選択タイプI（beam  selection  type  I）、ＴＣＩ状態指定タイプ１、Ｒｅｌ−１５ビーム選択などと呼ばれてもよい。
【００６４】
ＵＥは、低遅延ビーム選択を設定されない場合には、高遅延ビーム選択に従うと想定してもよい。この場合、ＵＥはＴＣＩ状態を設定されることによって基地局の送信ビームを把握できる。
【００６５】
つまり、ＵＥは、上位レイヤシグナリングによって、低遅延ビーム選択及び高遅延ビーム選択を切り替えることができる。
【００６６】
＜ＰＤＣＣＨの受信処理＞
図２のようにＴＣＩ状態を設定されない場合であっても、ＵＥは、例えば想定されるＴＣＩ状態についてＰＤＣＣＨのブラインド復号を試行することによって、ＰＤＣＣＨの復号を行ってもよい。ＵＥは、特定の信号／チャネル（例えば、設定されるＳＳ／ＰＢＣＨブロック及びＣＳＩ−ＲＳの少なくとも１つ）とＰＤＣＣＨのＤＭＲＳとがＱＣＬであると想定してＰＤＣＣＨの受信処理（復調、復号など）を行ってもよい。
【００６７】
また、低遅延ビーム選択を設定されたＵＥは、ＰＤＣＣＨ用のＵＥ受信ビームが、報告した最新のビーム測定結果に対応するＵＥ受信ビームと同じであると想定してもよい。低遅延ビーム選択を設定されたＵＥは、ＰＤＣＣＨ用の基地局送信ビームが、ＵＥが報告した最新のビーム測定結果に対応する基地局送信ビームと同じであると想定してもよい。言い換えると、低遅延ビーム選択を設定されたＵＥは、ＰＤＣＣＨ用のＴＣＩ状態が、報告した最新のビーム測定結果に対応するＴＣＩ状態と同じである（報告した最新のビーム測定結果に対応する測定に用いた信号／チャネルとＱＣＬである）と想定してもよい。
【００６８】
このような想定に基づくことによって、ＵＥは、ＰＤＣＣＨ用のＴＣＩ状態を通知されなくても特定のＵＥ受信ビームを用いてＰＤＣＣＨ（ＣＯＲＥＳＥＴ）のモニタを行うことができる。
【００６９】
なお、本開示における「低遅延ビーム選択を設定されたこと」は、「低遅延ビーム選択を設定され、かつＣＳＩ測定用のリソースセット内のリソースにおける繰り返しが‘オフ’に設定されたこと」、「低遅延ビーム選択を設定され、かつＣＳＩ測定用のリソースにおいて基地局が送信ビームスイーピングを適用すること」などで読み替えられてもよい。
【００７０】
また、本開示におけるＣＯＲＥＳＥＴは、サーチスペース、サーチスペースセット、ＰＤＣＣＨ候補などの少なくとも１つで読み替えられてもよい。
【００７１】
図３は、低遅延ビーム選択が設定される場合のＰＤＣＣＨ用ビーム管理の一例を示す図である。ＵＥは、低遅延ビーム選択を設定され、さらにＣＳＩ測定用の参照信号として、繰り返しが‘オフ’のＲＳ＃１−＃４を設定されていると想定する。
【００７２】
基地局は、ＲＳ＃１−＃４をＵＥに送信する（ステップＳ３０１）。当該ＲＳの送信について、基地局は送信ビームスイーピングを適用してもよい。ＵＥは、繰り返しが‘オフ’のＲＳ＃１−＃４について、同じＵＥ受信ビームを想定してもよい（同じＵＥ受信ビームを用いて受信処理を行ってもよい）。
【００７３】
ＵＥは、ＲＳ＃１−＃４の測定結果に基づく測定報告（例えばＣＳＩ）を、ＰＵＣＣＵ又はＰＵＳＣＨを用いて送信する（ステップＳ３０２）。ＵＥは、例えば、ＲＳ＃１−Ｒ４のうち、最良のビームの測定結果を送信してもよい。測定報告については後述する。
【００７４】
基地局は、任意のタイミングで、ＵＥのＰＤＣＣＨ用ＴＣＩ状態の切り替えを行うことを決定してもよい（ステップＳ３０３）。基地局は、ステップＳ３０３の後の任意のＣＯＲＥＳＥＴで送信するＰＤＣＣＨを、新しい基地局送信ビーム（ＴＣＩ状態）を用いて送信してもよい（ステップＳ３０４）。
【００７５】
ＵＥは、ステップＳ３０４のＣＯＲＥＳＥＴの受信においては、ステップＳ３０２において報告した最新のビーム測定結果に対応するＵＥ受信ビーム（ステップＳ３０１で用いたＵＥ受信ビーム）と同じＵＥ受信ビームを用いてもよい。
【００７６】
＜ビーム測定報告＞
ステップＳ３０２の測定報告の一例について説明する。ＵＥは、ＣＳＩ測定用のリソース及び干渉測定用のリソースの少なくとも１つに基づいて、チャネル品質測定及び干渉測定の少なくとも一方を行って、測定結果（例えば、ＣＳＩ）をＰＵＣＣＨ又はＰＵＳＣＨを用いて報告（送信）してもよい。
【００７７】
ＣＳＩ測定用のリソース及び干渉測定用のリソースは、例えば、ＳＳ／ＰＢＣＨブロックのリソース、ＣＳＩ−ＲＳのリソースなどであってもよい。基地局は、ＵＥの報告結果に基づいて送信又は受信ビーム選択を行ってもよい。以下、ＣＳＩ測定及び干渉測定をまとめてＣＳＩ測定とも呼ぶ。
【００７８】
本開示におけるＣＳＩ測定／報告は、ビーム管理のための測定／報告、ビーム測定／報告、無線リンク品質測定／報告などの少なくとも１つで読み替えられてもよい。
【００７９】
また、チャネル品質測定の結果は例えばＬ１−ＲＳＲＰを含んでもよい。
【００８０】
また、干渉測定の結果は、ＳＩＮＲ（Signal  to  Interference  plus  Noise  Ratio）、ＳＮＲ（Signal  to  Noise  Ratio）、ＲＳＲＱ（Reference  Signal  Received  Quality）、その他の干渉に関する指標（例えば、Ｌ１−ＲＳＲＰでない任意の指標）を含んでもよい。なお、ＳＩＮＲ、ＳＮＲ、ＲＳＲＱは、例えばそれぞれＬ１−ＳＩＮＲ、Ｌ１−ＳＮＲ、Ｌ１−ＲＳＲＱなどと呼ばれてもよい。
【００８１】
ＵＥがＬ１−ＲＳＲＰ、Ｌ１−ＲＳＲＱ、Ｌ１−ＳＩＮＲ及びチャネル品質測定の結果の少なくとも１つを報告する場合には、所定の数の最も大きい値（大きいほうから所定の数の値）を報告してもよい。ＵＥが干渉測定の結果の少なくとも１つを報告する場合には、所定の数の最も小さい値（小さいほうから所定の数の値）を報告してもよい。なお、ＵＣＩに値が複数含まれる場合は、１つの値と、当該１つの値と他の値との差分と、が含まれてもよい。
【００８２】
ＵＥは、当該所定の数に関する情報を、上位レイヤシグナリング、物理レイヤシグナリング又はこれらの組み合わせを用いて通知されてもよい。当該所定の数は、例えば１、２、４などであってもよい。当該所定の数は、チャネル品質測定の報告と干渉測定の報告とで異なる値が設定されてもよい。
【００８３】
ＵＥは、所定の数の最も大きいＬ１−ＲＳＲＰ、Ｌ１−ＲＳＲＱ、Ｌ１−ＳＩＮＲ及びチャネル品質測定の結果の少なくとも１つに対応するビームインデックス（ビームＩＤ）、ＣＳＩ測定用リソースＩＤ（例えば、ＳＳＢＲＩ、ＣＲＩ）又はＣＳＩ測定用信号のインデックス（例えば、ＳＳＢインデックス、ＣＳＩ−ＲＳ  ＩＤ）を報告してもよい。
【００８４】
ＵＥは、所定の数の最も小さい干渉測定の結果の少なくとも１つに対応するビームインデックス（ビームＩＤ）、ＣＳＩ測定用リソースＩＤ（例えば、ＳＳＢＲＩ、ＣＲＩ）又はＣＳＩ測定用信号のインデックス（例えば、ＳＳＢインデックス、ＣＳＩ−ＲＳ  ＩＤ）を報告してもよい。
【００８５】
ＰＵＣＣＨ又はＰＵＳＣＨのリソースが、ビームインデックス、ＣＳＩ測定用リソースＩＤ又はＣＳＩ測定用信号のインデックスに対応してもよい。ＵＥは、ビームインデックスなどに関する情報を明示的に報告せず、特定のＰＵＣＣＨ／ＰＵＳＣＨリソースを用いて報告が行われることによって、当該ビームインデックスなどを暗示的に基地局に通知してもよい。
【００８６】
例えば、ＵＥは、ＣＳＩ測定用のビーム／リソース／ＩＤに対応するＸ個（例えば、８個）のＰＵＣＣＨ／ＰＵＳＣＨリソースを、上位レイヤシグナリングによって設定されてもよい。ＵＥは、Ｘ個のリソースのうち、報告対象のビーム／リソース／ＩＤに対応するｘ個（例えば、２個）のリソースを用いてＣＳＩ報告を送信してもよい。
【００８７】
なお、ＣＳＩ報告用に設定されるＰＵＣＣＨ／ＰＵＳＣＨリソースは、時間リソース、周波数リソース、符号リソース（例えば、サイクリックシフト、直交カバーコード（ＯＣＣ：Orthogonal  Cover  Code））などの少なくとも１つに対応してもよい。
【００８８】
図４は、ＣＳＩ測定結果の報告用のＰＵＣＣＨ又はＰＵＳＣＨリソースの一例を示す図である。本例では、ＵＥは、ＣＳＩ測定用のリソースに対応して８つのＰＵＣＣＨ／ＰＵＳＣＨリソースを報告用に設定されている。例えば、当該リソースは、ＰＵＣＣＨフォーマット０のためのスケジューリングリクエスト（ＳＲ：Scheduling  Request）用のリソースであってもよい。
【００８９】
設定されたリソースは、それぞれビームａ−ｈに対応している。図４では、ＵＥは、ビームｃ及びｆの結果を報告するために、これらに対応するＳＲリソースで送信を行う。
【００９０】
なお、上述した「所定の数の最も大きい」は、「測定結果が閾値以上である」、「測定結果が閾値以上であって、所定の数の最も大きい」などで読み替えられてもよい。また、上述した「所定の数の最も小さい」は、「測定結果が閾値未満である」、「測定結果が閾値未満であって、所定の数の最も大きい」などで読み替えられてもよい。ここでの閾値は、上位レイヤシグナリングによって設定されてもよいし、仕様によって定められてもよい。
【００９１】
ＵＥが１つより多い数の測定結果を基地局に報告した場合、当該基地局がどのように当該ＵＥに対するビームを決定するかは、基地局の実装次第であってもよい。
【００９２】
＜ＴＣＩ状態を設定しない制御が適用されるチャネル＞
本開示の低遅延ビーム選択関連の制御（例えば、ＴＣＩ状態を設定しない制御）は、ＰＤＣＣＨのみに適用されてもよい。ビーム選択について上述した課題（遅延）は主にＰＤＣＣＨに関し、他のチャネルについてのＲｅｌ−１５  ＮＲのビーム選択は機能していると想定されるためである。この場合、ＵＥの実装の複雑化を抑制できる。
【００９３】
また、ＴＣＩ状態を設定しない制御は、ＰＤＳＣＨに適用されてもよい。この場合、ＵＥは、ＰＤＣＣＨ及びＰＤＳＣＨが基地局から同じ送信ビームを用いて送信されると想定してもよい。ＰＤＳＣＨにＴＣＩ状態を設定しないことによって、ＤＣＩ、ＭＡＣ  ＣＥなどを用いたＰＤＳＣＨ用のＴＣＩ状態の通知が不要になるため、通信オーバヘッドの低減が期待できる。
【００９４】
また、ＴＣＩ状態を設定しない制御は、ＰＵＣＣＨに適用されてもよい。この場合、ＵＥは、基地局のＰＤＣＣＨの送信ビームと、基地局のＰＵＣＣＨの受信ビームと、が同じビームであると想定してもよい。
【００９５】
ここで、ＰＵＣＣＨについては、ＴＣＩ状態に相当するものは空間関係（spatial  relation）と表現されてもよい。Ｒｅｌ−１５  ＮＲにおいては、ＲＲＣのＰＵＣＣＨ設定情報（PUCCH-Config情報要素）に、所定のＲＳとＰＵＣＣＨとの間の空間関係情報を含めることができる。当該所定のＲＳは、ＳＳＢ、ＣＳＩ−ＲＳ及び測定用参照信号（ＳＲＳ：Sounding  Reference  Signal）の少なくとも１つである。
【００９６】
ＵＥは、ＳＳＢ又はＣＳＩ−ＲＳとＰＵＣＣＨとに関する空間関係情報を設定される場合には、当該ＳＳＢ又はＣＳＩ−ＲＳの受信のための空間ドメインフィルタと同じ空間ドメインフィルタを用いてＰＵＣＣＨを送信してもよい。つまり、この場合、ＵＥはＳＳＢ又はＣＳＩ−ＲＳのＵＥ受信ビームとＰＵＣＣＨのＵＥ送信ビームとが同じであると想定してもよい。
【００９７】
ＵＥは、ＳＲＳとＰＵＣＣＨとに関する空間関係情報を設定される場合には、当該ＳＲＳの送信のための空間ドメインフィルタと同じ空間ドメインフィルタを用いてＰＵＣＣＨを送信してもよい。つまり、この場合、ＵＥはＳＲＳのＵＥ送信ビームとＰＵＣＣＨのＵＥ送信ビームとが同じであると想定してもよい。
【００９８】
なお、基地局の送信のための空間ドメインフィルタと、下りリンク空間ドメイン送信フィルタ（downlink  spatial  domain  transmission  filter）と、基地局の送信ビームと、は互いに読み替えられてもよい。基地局の受信のための空間ドメインフィルタと、上りリンク空間ドメイン受信フィルタ（uplink  spatial  domain  receive  filter）と、基地局の受信ビームと、は互いに読み替えられてもよい。
【００９９】
また、ＵＥの送信のための空間ドメインフィルタと、上りリンク空間ドメイン送信フィルタ（uplink  spatial  domain  transmission  filter）と、ＵＥの送信ビームと、は互いに読み替えられてもよい。ＵＥの受信のための空間ドメインフィルタと、下りリンク空間ドメイン受信フィルタ（downlink  spatial  domain  receive  filter）と、ＵＥの受信ビームと、は互いに読み替えられてもよい。
【０１００】
ＰＵＣＣＨに関する空間関係情報が１つより多く設定される場合には、ＰＵＣＣＨ空間関係アクティベーション／ディアクティベーションＭＡＣ  ＣＥ（PUCCH  spatial  relation  Activation/Deactivation  MAC  CE）によって、ある時間において１つのＰＵＣＣＨリソースに対して１つのＰＵＣＣＨ空間関係がアクティブになるように制御される。
【０１０１】
当該ＭＡＣ  ＣＥは、適用対象のサービングセルＩＤ、ＢＷＰ  ＩＤ、ＰＵＣＣＨリソースＩＤなどの情報を含んでもよい。
【０１０２】
ＵＥは、上記ＭＡＣ  ＣＥを提供したＰＤＳＣＨのためのＨＡＲＱ−ＡＣＫを送信するスロットから３ミリ秒後に、上記ＭＡＣ  ＣＥに基づく空間ドメインフィルタの対応する設定を、ＰＵＣＣＨ送信のために適用してもよい。
【０１０３】
ＰＵＣＣＨに空間関係を設定しないことによって、ＭＡＣ  ＣＥなどを用いたＰＵＣＣＨ用の空間関係の通知（アクティベーション）が不要になるため、通信オーバヘッドの低減が期待できる。
【０１０４】
以下、具体的な例について説明する。
【０１０５】
［ＰＤＳＣＨにＴＣＩ状態を設定しない制御］
ＵＥは、低遅延ビーム選択を上位レイヤシグナリングによって設定される場合には、ＰＤＣＣＨ及びＰＤＳＣＨが基地局から同じ送信ビームを用いて送信されると想定してもよい。
【０１０６】
ＰＤＳＣＨが準静的なリソース割り当てをされる場合（例えば、セミパーシステントスケジューリング（ＳＰＳ：Semi-Persistent  Scheduling）ＰＤＳＣＨの場合）、ＵＥは、当該ＰＤＳＣＨの基地局送信ビームと、最も直近のＰＤＣＣＨ（ＣＯＲＥＳＥＴ）の基地局送信ビームと、が同じと想定してもよい。
【０１０７】
ＰＤＳＣＨが動的なリソース割り当てをされる場合、ＵＥは、当該ＰＤＳＣＨの基地局送信ビームと、当該ＰＤＳＣＨをスケジュールするＰＤＣＣＨ（ＣＯＲＥＳＥＴ）の基地局送信ビームと、が同じと想定してもよい。
【０１０８】
ＵＥは、低遅延ビーム選択を上位レイヤシグナリングによって設定される場合には、ＰＤＣＣＨ及びＰＤＳＣＨの受信に同じＵＥ受信ビームを用いると想定してもよい。
【０１０９】
ＰＤＳＣＨが準静的なリソース割り当てをされる場合、ＵＥは、最も直近のＰＤＣＣＨ（ＣＯＲＥＳＥＴ）用のＵＥ受信ビームを用いて当該ＰＤＳＣＨを受信してもよい。
【０１１０】
ＰＤＳＣＨが動的なリソース割り当てをされる場合、ＵＥは、当該ＰＤＳＣＨをスケジュールするＰＤＣＣＨ（ＣＯＲＥＳＥＴ）用のＵＥ受信ビームを用いて当該ＰＤＳＣＨを受信してもよい。
【０１１１】
ＵＥは、低遅延ビーム選択が設定される場合には、ＤＣＩに含まれるＴＣＩフィールドが０ビットであると想定してもよい。例えば、ＤＣＩフォーマット１＿１のＴＣＩフィールドは、ＤＣＩにＴＣＩフィールドを含めることを示す上位レイヤパラメータ（tci-PresentInDCI）が有効でない、又は低遅延ビーム選択を示す上位レイヤパラメータが有効である場合、０ビットであってもよい。
【０１１２】
ＵＥは、上位レイヤシグナリングによって８つより多いＴＣＩ状態が設定される場合であっても、低遅延ビーム選択が設定される場合には、ＵＥ固有ＰＤＳＣＨ用ＴＣＩ状態アクティベーション／ディアクティベーションＭＡＣ  ＣＥ（ＰＤＳＣＨのビーム選択のためのＭＡＣ  ＣＥ）の通知がないと想定してもよい（当該ＭＡＣ  ＣＥの受信を期待しなくてもよい）。
【０１１３】
図５は、低遅延ビーム選択が設定される場合のＰＤＳＣＨ用ビーム管理の一例を示す図である。ステップＳ３０１−Ｓ３０４は、図３の例と同様であってよいため、重複した説明は省略する。本例では、ＵＥがステップＳ３０４のＰＤＣＣＨにおいてＰＤＳＣＨをスケジュールするＤＣＩを検出したと想定する。
【０１１４】
ＵＥは、当該ＤＣＩに基づいてＰＤＳＣＨの受信処理を行う（ステップＳ３０５）。ＵＥは、ステップＳ３０５のＰＤＳＣＨの基地局送信ビームと、ステップＳ３０４のＰＤＣＣＨの基地局送信ビームと、が同じであると想定してもよい。
【０１１５】
また、ＵＥは、ステップＳ３０５のＰＤＳＣＨのＵＥ受信ビームと、ステップＳ３０４のＰＤＣＣＨのＵＥ受信ビームと、が同じであると想定してもよい。
【０１１６】
さらに、ＰＤＣＣＨにＴＣＩ状態が設定されない場合には、ＵＥは、ステップＳ３０５のＰＤＳＣＨのＵＥ受信ビームと、ステップＳ３０４のＰＤＣＣＨのＵＥ受信ビームと、ステップＳ３０２において報告した最新のビーム測定結果に対応するＵＥ受信ビーム（ステップＳ３０１で用いたＵＥ受信ビーム）と、が同じであると想定してもよい。
【０１１７】
［ＰＵＣＣＨにＴＣＩ状態を設定しない制御］
ＵＥは、低遅延ビーム選択を上位レイヤシグナリングによって設定される場合には、ＰＤＣＣＨ、ＰＤＳＣＨ及びＰＵＣＣＨの送受信のために、基地局が同じビーム（同じ送受信ビーム）を用いると想定してもよい。
【０１１８】
ＰＵＣＣＨが準静的なリソース割り当てをされる場合（例えば、Ｐ−ＣＳＩ報告、ＳＰ−ＣＳＩ報告の場合）、ＵＥは、当該ＰＵＣＣＨの基地局ビーム（受信ビーム）と、最も直近のＰＤＣＣＨ又はＰＤＳＣＨの基地局ビーム（送信ビーム）と、が同じと想定してもよい。
【０１１９】
ＰＵＣＣＨが動的なスケジューリングに基づく場合（例えば、ＤＬアサインメントによってスケジュールされたＰＤＳＣＨのためのＨＡＲＱ−ＡＣＫをＰＵＣＣＨで送信する場合）、ＵＥは、当該ＰＵＣＣＨの基地局ビーム（受信ビーム）と、当該ＰＵＣＣＨに対応するＰＤＳＣＨ及び当該ＰＤＳＣＨをスケジュールしたＰＤＣＣＨの少なくとも一方の基地局ビーム（送信ビーム）と、が同じと想定してもよい。
【０１２０】
ＵＥは、低遅延ビーム選択を上位レイヤシグナリングによって設定される場合には、ＰＤＣＣＨの受信ビーム及びＰＵＣＣＨの送信ビームが同じであると想定してもよい。
【０１２１】
ＰＵＣＣＨが準静的なリソース割り当てをされる場合、ＵＥは、当該ＰＵＣＣＨのＵＥ送信ビームと、最も直近のＰＤＣＣＨ又はＰＤＳＣＨのＵＥ受信ビームと、が同じと想定してもよい。
【０１２２】
ＰＵＣＣＨが動的なスケジューリングに基づく場合、ＵＥは、当該ＰＵＣＣＨのＵＥ送信ビームと、当該ＰＵＣＣＨに対応するＰＤＳＣＨ及び当該ＰＤＳＣＨをスケジュールしたＰＤＣＣＨの少なくとも一方のＵＥ受信ビームと、が同じと想定してもよい。
【０１２３】
ＵＥは、低遅延ビーム選択が設定される場合には、ＰＵＣＣＨ空間関係アクティベーション／ディアクティベーションＭＡＣ  ＣＥの通知がないと想定してもよい（当該ＭＡＣ  ＣＥの受信を期待しなくてもよい）。
【０１２４】
図６は、低遅延ビーム選択が設定される場合のＰＵＣＣＨ用ビーム管理の一例を示す図である。ステップＳ３０１−Ｓ３０５は、図５の例と同様であってよいため、重複した説明は省略する。
【０１２５】
ＵＥは、ステップＳ３０５において受信したＰＤＳＣＨのためのＨＡＲＱ−ＡＣＫを送信する（ステップＳ３０６）。ＵＥは、ステップＳ３０６のＰＵＣＣＨの基地局受信ビームと、ステップＳ３０５のＰＤＳＣＨの基地局送信ビームと、ステップＳ３０４のＰＤＣＣＨの基地局送信ビームと、が同じであると想定してもよい。
【０１２６】
また、ＵＥは、ステップＳ３０６のＰＵＣＣＨのＵＥ送信ビームと、ステップＳ３０５のＰＤＳＣＨのＵＥ受信ビームと、ステップＳ３０４のＰＤＣＣＨのＵＥ受信ビームと、が同じであると想定してもよい。
【０１２７】
さらに、ＰＤＣＣＨにＴＣＩ状態が設定されない場合には、ＵＥは、ステップＳ３０６のＰＵＣＣＨのＵＥ送信ビームと、ステップＳ３０５のＰＤＳＣＨのＵＥ受信ビームと、ステップＳ３０４のＰＤＣＣＨのＵＥ受信ビームと、ステップＳ３０２において報告した最新のビーム測定結果に対応するＵＥ受信ビーム（ステップＳ３０１で用いたＵＥ受信ビーム）と、が同じであると想定してもよい。
【０１２８】
図７は、低遅延ビーム選択が設定される場合のＰＵＣＣＨ用ビーム管理の別の一例を示す図である。ステップＳ３０１−Ｓ３０３及びＳ３０６は、図６の例と同様であってよいため、重複した説明は省略する。本例では、ＵＥがステップＳ３０４のＰＤＣＣＨにおいてＰＤＳＣＨをスケジュールするＤＣＩを検出したと想定する。なお、図６の例とは異なり、当該ＤＣＩはＰＤＳＣＨ用のＴＣＩ状態を指定するフィールドを含む。
【０１２９】
ＵＥは、当該ＤＣＩに基づいてＰＤＳＣＨの受信処理を行う（ステップＳ４０５）。ＵＥは、ステップＳ４０５のＰＤＳＣＨの基地局送信ビームは、ステップＳ３０４のＰＤＣＣＨの基地局送信ビームと、が同じであると想定しなくてもよいし、想定してもよい（図７では想定しない例が示される）。
【０１３０】
ＵＥは、ステップＳ３０６のＰＵＣＣＨの基地局受信ビームと、ステップＳ３０４のＰＤＣＣＨの基地局送信ビームと、が同じであると想定してもよい。
【０１３１】
また、ＵＥは、ステップＳ３０６のＰＵＣＣＨのＵＥ送信ビームと、ステップＳ３０４のＰＤＣＣＨのＵＥ受信ビームと、が同じであると想定してもよい。
【０１３２】
さらに、ＰＤＣＣＨにＴＣＩ状態が設定されない場合には、ＵＥは、ステップＳ３０６のＰＵＣＣＨのＵＥ送信ビームと、ステップＳ３０４のＰＤＣＣＨのＵＥ受信ビームと、ステップＳ３０２において報告した最新のビーム測定結果に対応するＵＥ受信ビーム（ステップＳ３０１で用いたＵＥ受信ビーム）と、が同じであると想定してもよい。
【０１３３】
以上説明した一実施形態によれば、ＰＤＣＣＨのためのＴＣＩ状態をより柔軟に設定できる。
【０１３４】
＜変形例＞
［ＰＤＣＣＨの受信処理の変形例］
なお、上記ＰＤＣＣＨの受信処理で説明した想定における「報告した最新のビーム測定結果」は、特定の種類のＣＳＩ報告に限定されてもよい。当該特定の種類のＣＳＩ報告は、例えば、周期的なＣＳＩ（Ｐ−ＣＳＩ：Periodic  CSI）報告、非周期的なＣＳＩ（Ａ−ＣＳＩ：Aperiodic  CSI）報告、半永続的（半持続的、セミパーシステント（Semi-Persistent））なＣＳＩ（ＳＰ−ＣＳＩ：Semi-Persistent  CSI）報告のいずれか、又はこれらの組み合わせであってもよい。
【０１３５】
この場合、基地局がＵＥに対して特定の種類のＣＳＩ報告を実施させるように制御することによって、ＰＤＣＣＨ用の受信ビーム（ＴＣＩ状態）に関するＵＥの想定を変更することができる。
【０１３６】
また、上記想定における「ＰＤＣＣＨ用の受信ビーム／基地局送信ビーム／ＴＣＩ状態」は「時刻ＴにおけるＰＤＣＣＨ用の受信ビーム／基地局送信ビーム／ＴＣＩ状態」であってもよく、この場合上記想定における「報告した最新の」は「時刻ＴよりＴｏｆｆｓｅｔ以上前の時刻に報告した最新の」で読み替えられてもよい。Ｔｏｆｆｓｅｔは、ＵＥ又は基地局がビーム（例えば、ＵＥ受信ビーム、基地局送信ビーム）の切り替えに要する時間に基づいて定義されてもよい。
【０１３７】
なお、Ｔｏｆｆｓｅｔに関する情報は、上位レイヤシグナリング、物理レイヤシグナリング又はこれらの組み合わせを用いて、ＵＥに通知されてもよい。
【０１３８】
図８は、Ｔｏｆｆｓｅｔに基づくＰＤＣＣＨの基地局送信ビームの想定の一例を示す図である。ステップＳ３０２−１及びＳ３０２−２は、上述のステップＳ３０２と同様であるが、Ｓ３０２−１が基地局送信ビーム＃１に関する報告であり、Ｓ３０２−２が基地局送信ビーム＃２に関する報告である点が異なる。
【０１３９】
ステップＳ３０４−１及びＳ３０４−２は、上述のステップＳ３０４と同様であるが、Ｓ３０４−１におけるＰＤＣＣＨには基地局送信ビーム＃１が適用されるとＵＥが想定し、Ｓ３０４−２におけるＰＤＣＣＨには基地局送信ビーム＃２が適用されるとＵＥが想定する点が異なる。
【０１４０】
ステップＳ３０４−１の時点では、ステップＳ３０４−１の報告はＴｏｆｆｓｅｔ以上前の時刻に送信した最新の報告であるが、ステップＳ３０４−２の報告はＴｏｆｆｓｅｔ以内の時刻に送信されたためである。
【０１４１】
また、ステップＳ３０４−２の時点では、ステップＳ３０４−２の報告がＴｏｆｆｓｅｔ以上前の時刻に送信した最新の報告であるためである。
【０１４２】
なお、あるＣＯＲＥＳＥＴの継続時間（duration）内で、ＰＤＣＣＨ用の受信ビームに関するＵＥの想定が変化してもよい。
【０１４３】
図９は、Ｔｏｆｆｓｅｔに基づくＰＤＣＣＨの基地局送信ビームの想定の別の一例を示す図である。本例では、図８とＣＯＲＥＳＥＴの時間的位置が異なるステップＳ３０４−３が示されている。
【０１４４】
また、上述のステップＳ３０４とは、ステップＳ３０４−３のＣＯＲＥＳＥＴ内の途中までのＰＤＣＣＨには基地局送信ビーム＃１が適用されるとＵＥが想定し、それ以降のＰＤＣＣＨには基地局送信ビーム＃２が適用されるとＵＥが想定する点が異なる。
【０１４５】
上記ＣＯＲＥＳＥＴの途中の時点では、ステップＳ３０４−１の報告はＴｏｆｆｓｅｔ以上前の時刻に送信した最新の報告であるが、ステップＳ３０４−２の報告はＴｏｆｆｓｅｔ以内の時刻に送信されたためである。
【０１４６】
また、上記ＣＯＲＥＳＥＴの途中の時点以降では、ステップＳ３０４−２の報告がＴｏｆｆｓｅｔ以上前の時刻に送信した最新の報告であるためである。
【０１４７】
図１０は、Ｔｏｆｆｓｅｔに基づくＰＤＣＣＨの基地局送信ビームの想定のさらに別の一例を示す図である。本例では、図９と同様の例が示されている。
【０１４８】
図１０は、ＵＥが、図９のステップＳ３０４−３のＣＯＲＥＳＥＴ内の基地局送信ビームの想定を途中で変更しない点が、図９と異なる（ステップＳ３０４−４）。ＵＥは、当該ＣＯＲＥＳＥＴ内のＰＤＣＣＨに適用される基地局送信ビームが、当該ＣＯＲＥＳＥＴの開始位置（例えば、開始シンボル、開始スロットなど）の時点からＴｏｆｆｓｅｔ以上前の時刻に送信した最新の報告であるステップＳ３０４−１の報告に対応する基地局送信ビーム＃１であると想定してもよい。
【０１４９】
このように、ＵＥは、ビーム測定結果の報告からＴｏｆｆｓｅｔ以降に始まるＣＯＲＥＳＥＴ（に含まれるＰＤＣＣＨ）の基地局送信ビーム／ＵＥ受信ビームが、当該ビーム測定結果に対応する基地局送信ビーム／ＵＥ受信ビームの想定と同じであると想定してもよい。この場合、ＣＯＲＥＳＥＴ内で基地局送信ビーム又はＵＥ受信ビームの切り替えが生じないため、送受信ビームの切り替えの時間（送受信不可の時間）がＣＯＲＥＳＥＴ内で発生してしまうことを抑制できる。
【０１５０】
［その他のＴｏｆｆｓｅｔ］
ＵＥは、低遅延ビーム選択を上位レイヤシグナリングによって設定される場合には、時刻ＴにおけるＰＤＳＣＨの基地局送信ビームが、時刻ＴよりＴｏｆｆｓｅｔ２以上前の時刻の（最新の）ＰＤＣＣＨの基地局送信ビームと同じであると想定してもよい。
【０１５１】
ＵＥは、低遅延ビーム選択を上位レイヤシグナリングによって設定される場合には、時刻ＴにおけるＰＤＳＣＨのＵＥ受信ビームが、時刻ＴよりＴｏｆｆｓｅｔ２以上前の時刻の（最新の）ＰＤＣＣＨのＵＥ受信ビームと同じであると想定してもよい。
【０１５２】
ＵＥは、低遅延ビーム選択を上位レイヤシグナリングによって設定される場合には、時刻ＴにおけるＰＵＣＣＨの基地局受信ビームが、時刻ＴよりＴｏｆｆｓｅｔ３以上前の時刻の（最新の）ＰＤＳＣＨの基地局送信ビーム及びＰＤＣＣＨの基地局送信ビームの少なくとも一方と同じであると想定してもよい。
【０１５３】
ＵＥは、低遅延ビーム選択を上位レイヤシグナリングによって設定される場合には、時刻ＴにおけるＰＵＣＣＨのＵＥ送信ビームが、時刻ＴよりＴｏｆｆｓｅｔ３以上前の時刻の（最新の）ＰＤＳＣＨのＵＥ受信ビーム及びＰＤＣＣＨのＵＥ受信ビームの少なくとも一方と同じであると想定してもよい。
【０１５４】
Ｔｏｆｆｓｅｔ２、Ｔｏｆｆｓｅｔ３などは、ＵＥ又は基地局がビーム（例えば、ＵＥ送信ビーム、基地局受信ビーム）の切り替えに要する時間に基づいて定義されてもよい。なお、Ｔｏｆｆｓｅｔ２、Ｔｏｆｆｓｅｔ３などに関する情報は、上位レイヤシグナリング、物理レイヤシグナリング又はこれらの組み合わせを用いて、ＵＥに通知されてもよい。
【０１５５】
なお、本開示において「想定する（assume）」ことは、想定して受信処理、送信処理、測定処理などを行うことを意味してもよい。
【０１５６】
＜ＵＥにおけるＱＣＬ想定の更新のための確認情報＞
上述の各実施形態では、低遅延ビーム選択を設定されたＵＥは、ＰＤＣＣＨ（又はＰＤＳＣＨ）用のＵＥ受信ビーム又は基地局送信ビーム（又は、ＰＵＣＣＨ用のＵＥ送信ビーム又は基地局受信ビーム）が、ＵＥが報告した最新のビーム測定結果に対応するＵＥ受信ビーム又は基地局送信ビームと同じであると無条件に想定する（例えば、Ｌ１−ＲＳＲＰ測定結果に基づいてＵＥが自律的にＱＣＬの想定を更新する）例を示した。
【０１５７】
しかしながら、ＵＥにおけるビーム測定結果を基地局が無事に受信したことをもって、ＵＥにおけるＱＣＬ想定の更新が行われるとより好ましい。基地局及びＵＥ間で、ＵＥのＱＣＬ想定に齟齬がなくなるためである。なお、所定のＣＯＲＥＳＥＴ、チャネル又は参照信号が、別のＣＯＲＥＳＥＴ、チャネル又は参照信号と特定のＱＣＬ（例えば、ＱＣＬタイプＤ）の関係にあるとＵＥが想定することは、ＱＣＬ想定（QCL  assumption）と呼ばれてもよい。
【０１５８】
そこで、ネットワーク（基地局）からのシグナリングが、ＵＥにおけるＱＣＬ想定の更新のための確認情報（confirmation  information）として用いられてもよい。ＵＥは、低遅延ビーム選択を設定される場合であっても、最新のビーム測定結果に基づくＱＣＬ想定の更新を行ってよいか否かを、基地局からの上記確認情報に従って決定してもよい。
【０１５９】
ＱＣＬ想定の更新のための確認情報は、ビームレポート確認情報、ビームレポート受領通知、ＱＣＬ想定更新指示などと呼ばれてもよく、以下単に確認情報とも呼ぶ。
【０１６０】
ＵＥは、確認情報を、ＤＣＩ及びＭＡＣシグナリング（例えばＭＡＣ  ＣＥ）の少なくとも一方によって指示されると想定してもよい。
【０１６１】
ＵＥは、時刻Ｔにおいて確認情報を受信すると、時刻Ｔ−Ｔ１以前の最新のビーム測定結果に基づくＱＣＬ想定の更新を行ってもよい。ＵＥは、上記ＤＣＩ受信から所定の時間オフセットＴ２の経過後、時刻Ｔ−Ｔ１以前の最新のビーム測定結果に基づくＱＣＬ想定の更新を行ってもよい。
【０１６２】
つまり、ＵＥは、低遅延ビーム選択を上位レイヤシグナリングによって設定され、かつ時刻Ｔにおいて確認情報を受信する場合、時刻Ｔ＋Ｔ２以降の所定のチャネル（例えば、ＰＤＣＣＨ）は新しいＱＣＬに従う（当該所定のチャネルの基地局送信ビームは、新しいビームである）と想定し、時刻Ｔ＋Ｔ２より前の当該所定のチャネルは古いＱＣＬに従う（当該所定のチャネルの基地局送信ビームは、古いビームである）と想定してもよい。
【０１６３】
ここでいう「新しいＱＣＬ（ビーム）」は、時刻Ｔ−Ｔ１以前の最新のビーム測定結果に対応する基地局のＱＣＬ（送信ビーム）又はＵＥのＱＣＬ（受信ビーム）であってもよい。また、「古いＱＣＬ（ビーム）」は、時刻Ｔ−Ｔ１以前の最新のビーム測定結果を送信する前にＵＥが想定していた基地局のＱＣＬ（送信ビーム）又はＵＥのＱＣＬ（受信ビーム）であってもよい。
【０１６４】
時刻Ｔは、確認情報を含むＤＣＩ（ＰＤＣＣＨ、ＰＤＣＣＨ候補、ＣＯＲＥＳＥＴなどで読み替えられてもよい）又はＭＡＣシグナリングを受信するシンボル又はスロットの開始位置であってもよい。
【０１６５】
確認情報は、対応する（基地局が成功裏に受信できた）ビーム測定結果を特定するための情報（例えば、ビームレポートに関するインデックスなど）を含んでもよい。ＵＥは、確認情報を受信した場合、基地局が時刻Ｔ−Ｔ１以前の最新のビーム測定結果を成功裏に受信したと想定してもよい。
【０１６６】
上記Ｔ１及びＴ２の少なくとも一方は、上位レイヤシグナリングによって設定されてもよい。上記Ｔ１及びＴ２の少なくとも一方は、確認情報によって明示的に通知されてもよいし、暗示的に通知されてもよい。上記Ｔ１及びＴ２の少なくとも一方と、所定のインデックスとの関係が上位レイヤシグナリングによって設定され、当該インデックスの値が確認情報を示すＤＣＩを用いて通知されることによって、ＵＥは上記Ｔ１及びＴ２の少なくとも一方の値を特定してもよい。
【０１６７】
なお、Ｔ、Ｔ１及びＴ２は、それぞれ特定の時間単位（シンボル、スロット、サブフレームなど）の数、秒単位、秒の分量単位（例えば、マイクロ秒）などで表されてもよい。また、Ｔ１及びＴ２の少なくとも一方の値は、サブキャリア間隔又はニューメロロジーごとに仕様によって規定されてもよい。Ｔ１及びＴ２の少なくとも一方の値が仕様によって規定される場合、ＵＥに対して当該Ｔ１及びＴ２の少なくとも一方は通知されなくてもよい。
【０１６８】
なお、Ｔ１、Ｔ２又はＴ１＋Ｔ２は、上述したＴｏｆｆｓｅｔ、Ｔｏｆｆｓｅｔ２及びＴｏｆｆｓｅｔ３の少なくとも１つと同じ値であってもよいし、Ｔｏｆｆｓｅｔ、Ｔｏｆｆｓｅｔ２及びＴｏｆｆｓｅｔ３の少なくとも１つに基づいて決定されてもよい。逆に、Ｔｏｆｆｓｅｔ、Ｔｏｆｆｓｅｔ２及びＴｏｆｆｓｅｔ３の少なくとも１つが、Ｔ１、Ｔ２又はＴ１＋Ｔ２に基づいて決定されてもよい。
【０１６９】
図１１は、確認情報に基づくＱＣＬ想定の変更の一例を示す図である。ステップＳ３０２−１及びＳ３０２−２は、図８と同様であってもよい。
【０１７０】
ステップＳ３０４−５及びＳ３０４−６は、上述のステップＳ３０４と同様であるが、Ｓ３０４−５におけるＰＤＣＣＨには古いＱＣＬ（例えば、基地局送信ビーム＃０、ＵＥ受信ビーム＃０など）が適用されるとＵＥが想定し、Ｓ３０４−６におけるＰＤＣＣＨには新しいＱＣＬ（例えば、基地局送信ビーム＃１、ＵＥ受信ビーム＃１など）が適用されるとＵＥが想定する点が異なる。
【０１７１】
ＵＥは、ステップＳ３０４−５において、確認情報を含むＤＣＩを受信する。ステップＳ３０４−５の時点では、ステップＳ３０４−１の報告が時刻Ｔ−Ｔ１以前の最新の報告である。このため、ＵＥは、時刻Ｔ＋Ｔ２以降はステップＳ３０４−１の報告に基づく新しいＱＣＬに従う。
【０１７２】
なお、ＵＥは、確認情報を含むＤＣＩを受信すると、例えばＭＡＣレイヤ又は物理レイヤにおいて確認情報用タイマを開始してもよい。当該タイマは上記Ｔ２の長さを測るためのタイマであってもよく、ＵＥは、当該タイマの起動中は古いＱＣＬに従う制御を行ってもよい。また、当該タイマが満了すると、ＵＥは新しいＱＣＬに従う制御を行ってもよい。
【０１７３】
確認情報に基づくＱＣＬ想定の変更（更新）は、当該確認情報に基づくＱＣＬの変更のＵＥ能力（UE  capability）を有するＵＥに適用されてもよい。基地局は、当該ＵＥ能力を報告したＵＥに対して、確認情報を送信する制御を行ってもよい。
【０１７４】
確認情報を示すＤＣＩは、ＰＵＳＣＨのスケジューリング用のＤＣＩ（例えば、ＤＣＩフォーマット０＿０、０＿１）であってもよいし、ＰＤＳＣＨのスケジューリング用のＤＣＩ（例えば、ＤＣＩフォーマット１＿０、１＿１）であってもよい。
【０１７５】
確認情報を示すＤＣＩは、確認情報に関するフィールドを含んでもよい。当該フィールドは、所定数（例えば、１）のビットであってもよい。例えば、ＵＥは、当該フィールドの値が‘０’であれば、ビーム測定結果が受信されなかった（又はＱＣＬ想定の更新を行わない）と判断してもよく、‘１’であれば、ビーム測定結果が成功裏に受信された（又はＱＣＬ想定の更新を行う）と判断してもよい。
【０１７６】
確認情報を示すＤＣＩは、特定のフィールドのセットがそれぞれ特定の値（仕様によって定められた値）であるＤＣＩに該当してもよい。当該特定のフィールドのセットは、例えば、ＨＡＲＱ（Hybrid  Automatic  Repeat  reQuest）プロセス番号（ＨＰＮ：HARQ  Process  Number）、ＮＤＩ（New  Data  Indicator）、冗長バージョン（ＲＶ：Redundancy  Version）などのフィールドを含んでもよい。
【０１７７】
ＵＥは、ＤＣＩの内容又は種類に基づいて、当該ＤＣＩが確認情報を示すＤＣＩであるか否かを特定してもよい。
【０１７８】
例えば、以下のいずれかに該当するＤＣＩは、確認情報を含まないことを暗示的に指示してもよい（当該ＤＣＩを受信したＵＥは、当該ＤＣＩが確認情報を指示しないと想定してもよい）：
・ＵＥ固有サーチスペースセット（UE-specific  search  space  set）において送信されるＤＣＩ、
・ノンフォールバックＤＣＩ、
・ＤＣＩフォーマット０＿１又は１＿１、
・当該ＤＣＩを検出したリソース位置に関連する値（例えば、ＣＣＥ（Control  Channel  Element）インデックス）が特定の値（例えば、偶数）、
・当該ＤＣＩを検出したＰＤＣＣＨ候補のアグリゲーションレベルが特定の値（例えば、偶数）。
【０１７９】
なお、上記列挙したＤＣＩは、逆に確認情報を含むことを暗示的に指示してもよい。
【０１８０】
また、例えば、以下のいずれかに該当するＤＣＩは、確認情報を含むことを暗示的に指示してもよい（当該ＤＣＩを受信したＵＥは、当該ＤＣＩが確認情報を指示すると想定してもよい）：
・共通サーチスペースセット（common  search  space  set）において送信されるＤＣＩ、
・フォールバックＤＣＩ、
・ＤＣＩフォーマット０＿０又は１＿０、
・当該ＤＣＩを検出したリソース位置に関連する値（例えば、ＣＣＥインデックス）が特定の値（例えば、奇数）、
・当該ＤＣＩを検出したＰＤＣＣＨ候補のアグリゲーションレベルが特定の値（例えば、奇数）。
【０１８１】
なお、上記列挙したＤＣＩは、逆に確認情報を含まないことを暗示的に指示してもよい。
【０１８２】
確認情報を暗示的に指示するＤＣＩに関する情報は、上位レイヤシグナリングによってＵＥに通知されてもよい。例えば、ＵＥは、特定のサーチスペースにおける特定のアグリゲーションレベルが、確認情報を指示することに対応することを設定されてもよい。
【０１８３】
また、系列（符号）ベースの方法によって確認情報がＵＥに指示されてもよい。例えば、ＵＥは、ＰＤＣＣＨ、ＰＤＳＣＨ及びＰＵＣＣＨの少なくとも１つのＤＭＲＳのサイクリックシフト（ＣＳ：Cyclic  Shift）インデックスに基づいて、確認情報を決定してもよい。
【０１８４】
ＵＥは、当該ＣＳインデックスが第１の値（＃ｍ）の場合には、確認情報が指示されない（ＱＣＬ想定の更新を行わない）と決定してもよい。ＵＥは、当該ＣＳインデックスが第２の値（＃ｍ＋ｎ）の場合には、確認情報が指示された（ＱＣＬ想定の更新を行う）と決定してもよい。
【０１８５】
ここで、当該第１の値、第２の値（又はｎ）などは、上位レイヤシグナリング、物理レイヤシグナリング又はこれらの組み合わせによってＵＥに設定（通知）されてもよいし、仕様によって定められてもよい。例えば、ｎ＝６であってもよい。また、第１の値、第２の値などは、値の範囲で定義されてもよい。
【０１８６】
［確認情報の受信前におけるＱＣＬ想定の変更］
ＵＥは、ビーム測定結果を送信してから所定の時間（例えば、Ｔ３と呼ぶ）が経過した場合、当該ビーム測定結果に基づくＱＣＬ想定を適用してもよい。つまり、ＵＥは、ビーム測定結果を基地局に報告した時刻からＴ３が経過した場合には、当該基地局から確認情報を受信していなくても、当該ビーム測定結果に基づくＱＣＬ想定を適用してもよい。Ｔ３の値は、Ｔ１又はＴ２の値より大きくてもよいし、同じでもよいし、小さくてもよい。
【０１８７】
ＵＥは、当該ビーム測定結果に基づくＱＣＬ想定の適用後の時刻Ｔに確認情報を受信した場合であって、時刻Ｔ−Ｔ１以前の最新のビーム測定結果に対応するＱＣＬが現在のＱＣＬ想定と同じ場合には、この想定を維持してもよい。
【０１８８】
ＵＥは、当該ビーム測定結果に基づくＱＣＬ想定の適用後の時刻Ｔに確認情報を受信した場合であって、時刻Ｔ−Ｔ１以前の最新のビーム測定結果に対応するＱＣＬが現在のＱＣＬ想定と異なる場合には、時刻Ｔ−Ｔ１以前の最新のビーム測定結果に基づくＱＣＬ想定の更新を行ってもよい。
【０１８９】
ＵＥは、ビーム測定結果を送信した後、所定の時間（例えば、Ｔ４と呼ぶ）が経過するまでに確認情報を受信しない場合には、当該ビーム測定結果を送信した時刻からＴ４が経過した以降は古いＱＣＬ（ビーム）の想定に戻してもよい。つまり、ＵＥは、一旦送信したビーム測定結果に基づいてＱＣＬ想定を切り替えた場合であっても、基地局からこのビーム測定結果を受領したことを示す確認情報を受信しない場合には、ＱＣＬ想定を元に戻してもよい。
【０１９０】
このような制御によれば、ＵＥにおける低遅延ビーム選択を可能にしつつ、仮にビームレポートが基地局に届かないケースに対応できる。
【０１９１】
なお、これまで述べた各実施形態では、ＵＥが低遅延ビーム選択を設定されることを前提に説明したが、仮に低遅延ビーム選択を明示的に設定されない場合であっても、各実施形態の無線通信方法が適用されてもよい。
【０１９２】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１９３】
図１２は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０１９４】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビィティ（ＥＮ−ＤＣ：E-UTRA-NR  Dual  Connectivity）、ＮＲとＬＴＥとのデュアルコネクティビィティ（ＮＥ−ＤＣ：NR-E-UTRA  Dual  Connectivity）などを含んでもよい。
【０１９５】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１９６】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１９７】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１９８】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【０１９９】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０２００】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０２０１】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０２０２】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０２０３】
ユーザ端末２０は、ＬＴＥ、ＬＴＥ−Ａ、５Ｇなどの通信方式の少なくとも１つに対応した端末であってもよい。
【０２０４】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０２０５】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０２０６】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０２０７】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０２０８】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０２０９】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０２１０】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０２１１】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０２１２】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０２１３】
ＰＵＣＣＨによって、チャネル状態情報（ＣＳＩ：Channel  State  Information）、送達確認情報（例えば、ＨＡＲＱ−ＡＣＫ（Hybrid  Automatic  Repeat  reQuest  ACKnowledgement）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０２１４】
なお、本開示において下りリンク、上りリンクなどは「リンク」を付けずに表現されてもよい。また、各種チャネルの先頭に「物理（Physical）」を付けずに表現されてもよい。
【０２１５】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０２１６】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０２１７】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０２１８】
（基地局）
図１３は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０２１９】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０２２０】
制御部１１０は、基地局１０全体の制御を実施する。制御部１１０は、本開示に係る技術分野での共通認識に基づいて説明されるコントローラ、制御回路などから構成することができる。
【０２２１】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０２２２】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０２２３】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０２２４】
送受信アンテナ１３０は、本開示に係る技術分野での共通認識に基づいて説明されるアンテナ、例えばアレイアンテナなどから構成することができる。
【０２２５】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０２２６】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０２２７】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０２２８】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０２２９】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０２３０】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０２３１】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２３２】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０２３３】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０２３４】
なお、本開示における基地局１０の送信部及び受信部は、送受信部１２０、送受信アンテナ１３０及び伝送路インターフェース１４０の少なくとも１つによって構成されてもよい。
【０２３５】
なお、送受信部１２０は、空間ドメインフィルタ（例えば、下りリンク空間ドメイン受信フィルタ）を適用して測定した参照信号（例えば、ＳＳＢ、ＣＳＩ−ＲＳなど）の測定結果（例えば、ビーム測定結果、ＣＳＩなど）をユーザ端末２０から受信してもよい。
【０２３６】
送受信部１２０は、ＤＣＩを含むＰＤＣＣＨを送信してもよい。送受信部１２０は、低遅延ビーム選択の設定情報、上記測定結果に関する確認情報などを、ユーザ端末２０に送信してもよい。
【０２３７】
制御部１１０は、低遅延ビーム選択を上位レイヤシグナリングによって設定したユーザ端末２０に対して、ＰＤＣＣＨの送信及び特定のチャネルの送受信に同じ空間ドメインフィルタを用いる制御を行ってもよい。
【０２３８】
制御部１１０は、ＰＤＣＣＨの送信及びＰＤＳＣＨの送信に同じ下りリンク空間ドメイン送信フィルタを用いる制御を行ってもよい。
【０２３９】
制御部１１０は、ＰＤＣＣＨの送信及びＰＵＣＣＨの受信に同じ空間ドメイン送信フィルタを用いる制御を行ってもよい。
【０２４０】
また、制御部１１０は、低遅延ビーム選択を上位レイヤシグナリングによって設定したユーザ端末２０に対して、受信した最新の上記測定結果に対応する下りリンク空間ドメイン送信フィルタと同じ下りリンク空間ドメイン送信フィルタを用いて、ＰＤＣＣＨを送信する制御を行ってもよい。
【０２４１】
制御部１１０は、ＰＤＣＣＨの送信に用いる下りリンク空間ドメイン送信フィルタと同じ下りリンク空間ドメイン送信フィルタを用いて、ＰＤＳＣＨを送信する制御を行ってもよい。
【０２４２】
制御部１１０は、ＰＤＣＣＨの送信に用いる下りリンク空間ドメイン送信フィルタと同じ上りリンク空間ドメイン受信フィルタを用いて、ＰＵＣＣＨを受信する制御を行ってもよい。
【０２４３】
（ユーザ端末）
図１４は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０２４４】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０２４５】
制御部２１０は、ユーザ端末２０全体の制御を実施する。制御部２１０は、本開示に係る技術分野での共通認識に基づいて説明されるコントローラ、制御回路などから構成することができる。
【０２４６】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０２４７】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０２４８】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０２４９】
送受信アンテナ２３０は、本開示に係る技術分野での共通認識に基づいて説明されるアンテナ、例えばアレイアンテナなどから構成することができる。
【０２５０】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０２５１】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０２５２】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０２５３】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０２５４】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０２５５】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０２５６】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０２５７】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２５８】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０２５９】
なお、本開示におけるユーザ端末２０の送信部及び受信部は、送受信部２２０、送受信アンテナ２３０及び伝送路インターフェース２４０の少なくとも１つによって構成されてもよい。
【０２６０】
なお、送受信部２２０は、空間ドメインフィルタ（例えば、下りリンク空間ドメイン受信フィルタ）を適用して測定した参照信号（例えば、ＳＳＢ、ＣＳＩ−ＲＳなど）の測定結果（例えば、ビーム測定結果、ＣＳＩなど）を基地局１０に送信してもよい。
【０２６１】
送受信部２２０は、ＤＣＩを含むＰＤＣＣＨを受信してもよい。送受信部２２０は、低遅延ビーム選択の設定情報、上記測定結果に関する確認情報などを、基地局１０から受信してもよい。
【０２６２】
制御部２１０は、低遅延ビーム選択を上位レイヤシグナリングによって設定される場合には、基地局１０におけるＰＤＣＣＨの送信及び基地局１０における特定のチャネルの送受信（送信及び受信の少なくとも一方）に同じ空間ドメインフィルタが用いられると想定してもよい。
【０２６３】
制御部２１０は、基地局１０におけるＰＤＣＣＨの送信及び基地局１０におけるＰＤＳＣＨの送信に同じ下りリンク空間ドメイン送信フィルタが用いられると想定してもよい。
【０２６４】
制御部２１０は、基地局１０におけるＰＤＣＣＨの送信に用いられる下りリンク空間ドメイン送信フィルタと、基地局１０におけるＰＵＣＣＨの受信に用いられる上りリンク空間ドメイン受信フィルタと、が同じであると想定してもよい。
【０２６５】
制御部２１０は、低遅延ビーム選択を上位レイヤシグナリングによって設定される場合に、ＰＤＣＣＨの受信に用いる当該ユーザ端末２０の下りリンク空間ドメイン受信フィルタが、送信した最新の上記測定結果に対応する当該ユーザ端末２０の下りリンク空間ドメイン受信フィルタと同じであると想定してもよい。
【０２６６】
制御部２１０は、ＰＤＳＣＨの受信に用いる当該ユーザ端末２０の下りリンク空間ドメイン受信フィルタが、ＰＤＣＣＨの受信に用いる当該ユーザ端末２０の下りリンク空間ドメイン受信フィルタと同じであると想定してもよい。
【０２６７】
制御部２１０は、ＰＵＣＣＨの送信に用いる当該ユーザ端末２０の上りリンク空間ドメイン送信フィルタが、ＰＤＣＣＨの受信に用いる当該ユーザ端末２０の下りリンク空間ドメイン受信フィルタと同じであると想定してもよい。
【０２６８】
制御部２１０は、低遅延ビーム選択を上位レイヤシグナリングによって設定され、かつ、前記測定結果に関する確認情報（ビームレポート確認情報、ＱＣＬ想定更新指示などと呼ばれてもよい）を時刻Ｔにおいて受信する場合に、当該時刻Ｔから第２の時間経過した時刻（Ｔ＋Ｔ２）以降の所定のチャネル（例えば、ＰＤＣＣＨ）の空間ドメインフィルタが、当該時刻Ｔから第１の時間遡った時刻（Ｔ−Ｔ１）以前に送信した最新の前記測定結果に対応する空間ドメインフィルタと同じであると想定してもよい。
【０２６９】
これらの空間ドメインフィルタに関する想定は、当該ユーザ端末２０の空間ドメインフィルタに関する想定であってもよいし、当該ユーザ端末２０と通信する基地局１０の空間ドメインフィルタに関する想定であってもよい。
【０２７０】
制御部２１０は、前記時刻Ｔから前記第２の時間経過した時刻（Ｔ＋Ｔ２）以前（より前）の前記所定のチャネルの空間ドメインフィルタが、前記時刻Ｔから前記第１の時間遡った時刻（Ｔ−Ｔ１）以前に送信した最新の前記測定結果を送信するタイミングより前に想定していた空間ドメインフィルタと同じであると想定してもよい。
【０２７１】
制御部２１０は、前記測定結果を送信してから第３の時間（Ｔ３）が経過した場合には、前記確認情報を受信していなくても、前記所定のチャネルの空間ドメインフィルタが、前記測定結果に対応する空間ドメインフィルタと同じであると想定してもよい。
【０２７２】
制御部２１０は、前記測定結果を送信してから第４の時間（Ｔ４）が経過し、かつ前記第４の時間の経過までに前記確認情報を受信していない場合には、前記所定のチャネルの空間ドメインフィルタが、前記測定結果を送信する前の前記所定のチャネルの空間ドメインフィルタ（古いＱＣＬ（ビーム））と同じであると想定してもよい。
【０２７３】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２７４】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２７５】
例えば、本開示の一実施形態における基地局、ユーザ端末などは、本開示の無線通信方法の処理を行うコンピュータとして機能してもよい。図１５は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２７６】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２７７】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２７８】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２７９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０２８０】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２８１】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２８２】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２８３】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２８４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２８５】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２８６】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２８７】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２８８】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２８９】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２９０】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２９１】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２９２】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２９３】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２９４】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２９５】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２９６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２９７】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２９８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２９９】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０３００】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０３０１】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０３０２】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０３０３】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０３０４】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０３０５】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０３０６】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０３０７】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０３０８】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０３０９】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０３１０】
また、情報、信号などは、上位レイヤから下位レイヤ及び下位レイヤから上位レイヤの少なくとも一方へ出力され得る。情報、信号などは、複数のネットワークノードを介して入出力されてもよい。
【０３１１】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０３１２】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０３１３】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０３１４】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０３１５】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０３１６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０３１７】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０３１８】
本開示において使用する「システム」及び「ネットワーク」という用語は、互換的に使用され得る。「ネットワーク」は、ネットワークに含まれる装置（例えば、基地局）のことを意味してもよい。
【０３１９】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０３２０】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０３２１】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０３２２】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０３２３】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０３２４】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０３２５】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０３２６】
同様に、本開示におけるユーザ端末は、基地局で読み替えてもよい。この場合、上述のユーザ端末２０が有する機能を基地局１０が有する構成としてもよい。
【０３２７】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０３２８】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０３２９】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０３３０】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０３３１】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０３３２】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０３３３】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０３３４】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０３３５】
また、「判断（決定）」は、「想定する（assuming）」、「期待する（expecting）」、「みなす（considering）」などで読み替えられてもよい。
【０３３６】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０３３７】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０３３８】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０３３９】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０３４０】
本開示において、例えば、英語でのa,  an及びtheのように、翻訳によって冠詞が追加された場合、本開示は、これらの冠詞の後に続く名詞が複数形であることを含んでもよい。
【０３４１】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020065883.tif 000003
【図２】
2020065883.tif 000004
【図３】
2020065883.tif 000005
【図４】
2020065883.tif 000006
【図５】
2020065883.tif 000007
【図６】
2020065883.tif 000008
【図７】
2020065883.tif 000009
【図８】
2020065883.tif 000010
【図９】
2020065883.tif 000011
【図１０】
2020065883.tif 000012
【図１１】
2020065883.tif 000013
【図１２】
2020065883.tif 000014
【図１３】
2020065883.tif 000015
【図１４】
2020065883.tif 000016
【図１５】
2020065883.tif 000017
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
空間ドメインフィルタを適用して測定した参照信号の測定結果を送信する送信部と、
ｔｒａｎｓｍｉｓｓｉｏｎ  ｃｏｎｆｉｇｕｒａｔｉｏｎ  ｉｎｄｉｃａｔｉｏｎ（ＴＣＩ）状態なしのビーム選択を上位レイヤシグナリングによって設定され、かつ、前記測定結果に関する確認情報を受信する場合に、前記確認情報を受信したシンボルから第２の時間経過したシンボル以降のｐｈｙｓｉｃａｌ  ｕｐｌｉｎｋ  ｃｏｎｔｒｏｌ  ｃｈａｎｎｅｌ（ＰＵＣＣＨ）を、前記確認情報を受信したシンボルから第１の時間遡ったシンボル以前に送信した最新の前記測定結果に対応する空間ドメインフィルタと同じ空間ドメインフィルタを用いて送信するように制御する制御部と、を有することを特徴とする端末。
【請求項２】
前記制御部は、受信したｄｏｗｎｌｉｎｋ  ｃｏｎｔｒｏｌ  ｉｎｆｏｒｍａｔｉｏｎ（ＤＣＩ）に含まれるｈｙｂｒｉｄ  ａｕｔｏｍａｔｉｃ  ｒｅｐｅａｔ  ｒｅｑｕｅｓｔ（ＨＡＲＱ）プロセス番号及びｎｅｗ  ｄａｔａ  ｉｎｄｉｃａｔｏｒ（ＮＤＩ）に基づいて、前記ＤＣＩが前記確認情報であるか否かを判断することを特徴とする請求項１に記載の端末。
【請求項３】
空間ドメインフィルタを適用して測定した参照信号の測定結果を送信する工程と、
ｔｒａｎｓｍｉｓｓｉｏｎ  ｃｏｎｆｉｇｕｒａｔｉｏｎ  ｉｎｄｉｃａｔｉｏｎ（ＴＣＩ）状態なしのビーム選択を上位レイヤシグナリングによって設定され、かつ、前記測定結果に関する確認情報を受信する場合に、前記確認情報を受信したシンボルから第２の時間経過したシンボル以降のｐｈｙｓｉｃａｌ  ｕｐｌｉｎｋ  ｃｏｎｔｒｏｌ  ｃｈａｎｎｅｌ（ＰＵＣＣＨ）を、前記確認情報を受信したシンボルから第１の時間遡ったシンボル以前に送信した最新の前記測定結果に対応する空間ドメインフィルタと同じ空間ドメインフィルタを用いて送信するように制御する工程と、を有することを特徴とする端末の無線通信方法。
【請求項４】
端末と基地局を有するシステムであって、
前記端末は、
空間ドメインフィルタを適用して測定した参照信号の測定結果を送信する送信部と、
ｔｒａｎｓｍｉｓｓｉｏｎ  ｃｏｎｆｉｇｕｒａｔｉｏｎ  ｉｎｄｉｃａｔｉｏｎ（ＴＣＩ）状態なしのビーム選択を上位レイヤシグナリングによって設定され、かつ、前記測定結果に関する確認情報を受信する場合に、前記確認情報を受信したシンボルから第２の時間経過したシンボル以降のｐｈｙｓｉｃａｌ  ｕｐｌｉｎｋ  ｃｏｎｔｒｏｌ  ｃｈａｎｎｅｌ（ＰＵＣＣＨ）を、前記確認情報を受信したシンボルから第１の時間遡ったシンボル以前に送信した最新の前記測定結果に対応する空間ドメインフィルタと同じ空間ドメインフィルタを用いて送信するように制御する制御部と、を有し、
前記基地局は、
前記測定結果を受信する受信部と、
前記確認情報を送信する送信部と、を有することを特徴とするシステム。
【手続補正３】
【補正対象書類名】明細書
【補正対象項目名】０００１
【補正方法】変更
【補正の内容】
【０００１】
本開示は、次世代移動通信システムにおける端末、無線通信方法及びシステムに関する。
【手続補正４】
【補正対象書類名】明細書
【補正対象項目名】０００７
【補正方法】変更
【補正の内容】
【０００７】
そこで、本開示は、チャネルのＴＣＩ状態、ＱＣＬ想定又はビームを高速に切り替えることができる端末、無線通信方法及びシステムを提供することを目的の１つとする。
【手続補正５】
【補正対象書類名】明細書
【補正対象項目名】０００８
【補正方法】変更
【補正の内容】
【０００８】
本開示の一態様に係る端末は、空間ドメインフィルタを適用して測定した参照信号の測定結果を送信する送信部と、ｔｒａｎｓｍｉｓｓｉｏｎ  ｃｏｎｆｉｇｕｒａｔｉｏｎ  ｉｎｄｉｃａｔｉｏｎ（ＴＣＩ）状態なしのビーム選択を上位レイヤシグナリングによって設定され、かつ、前記測定結果に関する確認情報を受信する場合に、前記確認情報を受信したシンボルから第２の時間経過したシンボル以降のｐｈｙｓｉｃａｌ  ｕｐｌｉｎｋ  ｃｏｎｔｒｏｌ  ｃｈａｎｎｅｌ（ＰＵＣＣＨ）を、前記確認情報を受信したシンボルから第１の時間遡ったシンボル以前に送信した最新の前記測定結果に対応する空間ドメインフィルタと同じ空間ドメインフィルタを用いて送信するように制御する制御部と、を有することを特徴とする。
【国際調査報告】
2020065883.tif 000018
2020065883.tif 000019
2020065883.tif 000020
2020065883.tif 000021